(57)【要約】【課題】ＯＳＤ画面の種類に応じて異なる映像処理を行う。【解決手段】動画又は静止画で構成されるＯＳＤ画面を作成するためのアプリケーションプログラムが記憶されている記憶部２と、該記憶部２に記憶されているアプリケーションプログラムを実行してＯＳＤ画面を作成し、作成したＯＳＤ画面を出力するＯＳＤ作成部１１と、該ＯＳＤ作成部１１で作成したＯＳＤ画面及び動画の映像を入力し夫々異なる映像処理を行う複数の映像処理部とを備える映像処理装置１００において、前記ＯＳＤ作成部１１が作成したＯＳＤ画面に対して映像処理を行う映像処理部を、前記ＯＳＤ作成部１１が実行しているアプリケーションプログラムに基づいて、前記複数の映像処理部から選択する選択部１２と、前記ＯＳＤ作成部から出力されたＯＳＤ画面を入力し、前記選択部１２によって選択された映像処理部のいずれかに分配して出力する分配部６とを備える映像処理装置１００。【選択図】図１
2014175793.tif 000002
【特許請求の範囲】
【請求項１】
動画又は静止画で構成されるＯＳＤ画面を作成するためのアプリケーションプログラムが記憶されている記憶部と、
該記憶部に記憶されているアプリケーションプログラムを実行してＯＳＤ画面を作成し、作成したＯＳＤ画面を出力するＯＳＤ作成部と、
該ＯＳＤ作成部で作成したＯＳＤ画面及び動画の映像を入力し、夫々異なる映像処理を行う複数の映像処理部と
を備える映像処理装置において、
前記ＯＳＤ作成部が作成したＯＳＤ画面に対して映像処理を行う映像処理部を、前記ＯＳＤ作成部が実行しているアプリケーションプログラムに基づいて、前記複数の映像処理部から選択する選択部と、
前記ＯＳＤ作成部から出力されたＯＳＤ画面を入力し、前記選択部によって選択された映像処理部のいずれかに分配して出力する分配部と
を備えることを特徴とする映像処理装置。
【請求項２】
前記ＯＳＤ作成部で作成されたＯＳＤ画面及び前記映像を合成する合成部と、
前記選択部は、前記ＯＳＤ作成部が作成したＯＳＤ画面を、前記ＯＳＤ作成部が実行しているアプリケーションプログラムに基づいて、前記合成部に出力するようにしてある
ことを特徴とする請求項１に記載の映像処理装置。
【請求項３】
請求項１又は２に記載の映像処理装置と、
前記合成部で合成されたＯＳＤ画面及び前記映像を入力して表示する表示部と
を備えることを特徴とする表示装置。
【請求項４】
請求項３に記載の表示装置と、
テレビジョン放送波を受信するチューナとを備え、
前記映像は、前記チューナが受信したテレビジョン放送波に基づく映像である
ことを特徴とするテレビジョン受信機。
【請求項５】
動画の映像に対して、夫々異なる複数の映像処理を行うステップと、
動画又は静止画で構成されるＯＳＤ画面を作成するためのアプリケーションプログラムを読み出すステップと、
読み出したアプリケーションプログラムを実行して、ＯＳＤ画面を作成するステップと
を含む映像処理方法において、
作成したＯＳＤ画面に対して行う映像処理を、実行しているアプリケーションプログラムに基づいて、前記複数の映像処理から選択するステップと、
作成したＯＳＤ画面に、選択した映像処理を行うステップと
を含むことを特徴とする映像処理方法。
【発明の詳細な説明】
【技術分野】
【０００１】
本発明は、映像処理を行う映像処理装置、表示装置、テレビジョン受信機及び映像処理方法に関する。
【背景技術】
【０００２】
テレビジョン放送波に基づく映像又は録画装置に録画された映像と共に、又は斯かる映像に代えて、電子番組表、録画された番組のリスト等のＯＳＤ（On Screen Display）画面を表示する表示装置がある。このような表示装置は、ノイズを除去する又は動きを滑らかにする等、画質の向上のため、こうしたＯＳＤ画面及び映像に対して種々の映像処理を行う。
【０００３】
特許文献１及び２には、テレビジョン放送波に基づく映像の解像度に応じて、ＯＳＤ画面に映像処理を行う表示装置が記載されている。
【先行技術文献】
【特許文献】
【０００４】
【特許文献１】特開２００５−３２６６８４号公報
【特許文献２】特開２０１０−１３０６４３号公報
【発明の概要】
【発明が解決しようとする課題】
【０００５】
しかし、例えば電子番組表等、文字が並んだＯＳＤ画面に対してフレーム間処理が行われた場合、文字が潰れて読みにくくなることがある。また、ＯＳＤ画面によっては、映像のパターンを検出して映像を処理するパターン検出処理による映像処理が、正しく機能せず、画質が向上しないことがある。
【０００６】
ここで、ＯＳＤ画面には、主に文字を表示するものもあれば、主に動画からなる映像を表示するものもある。従来の表示装置は、ＯＳＤ画面の種類によらず一概に同じ映像処理を行うために上述の諸問題が生じていた。
【０００７】
本発明は斯かる問題に基づいてなされたものであり、ＯＳＤ画面の種類に応じて異なる映像処理を行う映像処理装置、表示装置、テレビジョン受信機及び映像処理方法の提供を目的とする。
【課題を解決するための手段】
【０００８】
本発明に係る映像処理装置は、動画又は静止画で構成されるＯＳＤ画面を作成するためのアプリケーションプログラムが記憶されている記憶部と、該記憶部に記憶されているアプリケーションプログラムを実行してＯＳＤ画面を作成し、作成したＯＳＤ画面を出力するＯＳＤ作成部と、該ＯＳＤ作成部で作成したＯＳＤ画面及び動画の映像を入力し、夫々異なる映像処理を行う複数の映像処理部とを備える映像処理装置において、前記ＯＳＤ作成部が作成したＯＳＤ画面に対して映像処理を行う映像処理部を、前記ＯＳＤ作成部が実行しているアプリケーションプログラムに基づいて、前記複数の映像処理部から選択する選択部と、前記ＯＳＤ作成部から出力されたＯＳＤ画面を入力し、前記選択部によって選択された映像処理部のいずれかに分配して出力する分配部とを備えることを特徴とする。
【０００９】
本発明に係る映像処理装置は、前記ＯＳＤ作成部で作成されたＯＳＤ画面及び前記映像を合成する合成部と、前記選択部は、前記ＯＳＤ作成部が作成したＯＳＤ画面を、前記ＯＳＤ作成部が実行しているアプリケーションプログラムに基づいて、前記合成部に出力するようにしてあることを特徴とする。
【００１０】
本発明に係る表示装置は、上述の映像処理装置と、前記合成部で合成されたＯＳＤ画面及び前記映像を入力して表示する表示部とを備えることを特徴とする。
【００１１】
本発明に係るテレビジョン受信機は、上述の表示装置と、テレビジョン放送波を受信するチューナとを備え、前記映像は、前記チューナが受信したテレビジョン放送波に基づく映像であることを特徴とする。
【００１２】
本発明に係る映像処理方法は、動画の映像に対して、夫々異なる複数の映像処理を行うステップと、動画又は静止画で構成されるＯＳＤ画面を作成するためのアプリケーションプログラムを読み出すステップと、読み出したアプリケーションプログラムを実行して、ＯＳＤ画面を作成するステップとを含む映像処理方法において、作成したＯＳＤ画面に対して行う映像処理を、実行しているアプリケーションプログラムに基づいて、前記複数の映像処理から選択するステップと、作成したＯＳＤ画面に、選択した映像処理を行うステップとを含むことを特徴とする。
【発明の効果】
【００１３】
本発明によれば、映像に対して映像処理を行う複数の映像処理部から、ＯＳＤ作成部が実行しているアプリケーションプログラムに基づいて映像処理部を選択し、選択した映像処理部のいずれかに、作成したＯＳＤ画面を出力する。従って、作成したＯＳＤ画面の種類に応じて異なる映像処理を行うことができる。
【図面の簡単な説明】
【００１４】
【図１】映像処理装置を示すブロック図である。
【図２】ホーム画面を示す模式図である。
【図３】対応テーブルを示す図表である。
【図４】分配部の出力先を示す説明図である。
【図５】電子番組表を示す模式図である。
【図６】録画リストを示す模式図である。
【図７】字幕表示画面を示す模式図である。
【図８】データ放送画面を示す模式図である。
【図９】ＣＰＵの動作処理について示すフローチャートである。
【図１０】ＣＰＵの動作処理について示すフローチャートである。
【図１１】スクロール字幕画面を示す模式図である。
【図１２】対応テーブルを示す図表である。
【発明を実施するための形態】
【００１５】
第１の実施の形態
以下、本発明の実施の形態について説明する。図１は映像処理装置１００を示すブロック図である。映像処理装置１００は、ＣＰＵ（Central Processing Unit）１と、記憶部２と、ＲＡＭ（Random Access Memory）３と、録画保存部４と、受信部５と、分配部６と、合成部７と、チューナ４１と、復調部４２と、復号部４３と、映像設定部４４と、動画系処理回路５１と、静止画系処理回路５２と、パターン検出処理回路５３と、解像度処理回路５４と、レート変換回路５５とを含む。
【００１６】
ＣＰＵ１は、ＯＳＤ作成部１１と、選択部１２とを含む。記憶部２は、対応テーブル２１を含む。
【００１７】
映像処理装置１００は、表示部８に映像を表示することにより、表示装置として機能する。また、映像処理装置１００は、チューナ４１が受信したテレビジョン放送波に基づく映像を表示部８に表示することにより、テレビジョン受信機として機能する。
【００１８】
動画系処理回路５１と、静止画系処理回路５２と、パターン検出処理回路５３と、解像度処理回路５４と、レート変換回路５５とは、映像処理部として機能する。
【００１９】
映像処理装置１００の構成を説明する。チューナ４１は、映像処理装置１００外部のアンテナを介してテレビジョン放送波を受信し、ユーザが選局したチャンネルを復調部４２へ出力する。
【００２０】
復調部４２は、チューナ４１から入力された信号をＭＰＥＧ（Moving Picture Experts Group）−２ＴＳ（Transport Stream）等のデジタルのストリームデータに復調して復号部４３へ出力する。
【００２１】
復号部４３は、復調部４２から入力されたストリームデータから映像信号を抽出し、同期をとりながら復号し、映像を作成して、映像設定部４４に出力する。また、復号部４３は、ストリームデータから、テレビ番組の題名、内容及び出演者等の情報を含んだ番組情報データ、広告の情報を含んだ広告データ、ニュース等の情報を含んだ文字情報データ、及び番組に対応した字幕の情報を含んだ字幕データ等の表示用データを抽出し、ＣＰＵ１に出力する。
【００２２】
映像設定部４４は、映像の大きさ及び表示位置を指定する信号がＯＳＤ作成部１１から入力された場合に、斯かる信号に従って、復号部４３から入力された映像を所定の大きさにし、所定の位置に配置する処理を行う。映像設定部４４は、処理を行った映像を動画系処理回路５１に出力する。
【００２３】
復号部４３において復号され、映像設定部４４に出力された映像は、テレビジョン放送波に基づく映像であるため、主として動画の映像である。斯かる映像に対しては、動画に対して行う映像処理、即ち、動画系処理回路５１と、静止画系処理回路５２と、パターン検出処理回路５３と、解像度処理回路５４と、レート変換回路５５とによる映像処理が行われる。
【００２４】
動画系処理回路５１は、映像設定部４４から映像が入力された場合、例えばフレーム間処理に基づく映像処理を行う。具体的には、動画系処理回路５１は、入力された映像における処理対象となるフレームの画素情報の他、前後のフレームの画素情報を参照することにより、ノイズを除去し、輝度情報を向上させる処理を行う。動画系処理回路５１は、映像処理を行った映像を、静止画系処理回路５２に出力する。
【００２５】
静止画系処理回路５２は、動画系処理回路５１で処理された映像が入力された場合、例えばフレーム内処理に基づく映像処理を行う。具体的には、静止画系処理回路５２は、入力された映像における処理対象となるフレーム毎に、輪郭補正又はドットノイズ消去等の処理を行う。静止画系処理回路５２は、映像処理を行った映像を、パターン検出処理回路５３に出力する。
【００２６】
パターン検出処理回路５３は、静止画系処理回路５２で処理された映像が入力された場合、パターンマッチングに基づく映像処理を行う。具体的には、パターン検出処理回路５３は、入力された映像と、記憶されている人の顔、建物等を示す所定の画像パターンと比較し、所定の画像パターンに類似した映像中の箇所を特定して、画像パターンに基づき輪郭補正又はノイズ除去等の映像処理を行う。パターン検出処理回路５３は、映像処理を行った映像を、解像度処理回路５４に出力する。
【００２７】
解像度処理回路５４は、パターン検出処理回路５３で処理された映像が入力された場合、解像度を向上させる処理を行う。具体的には、解像度処理回路５４は、入力された映像の画素を補間し、例えばＳＤ（Standard Definition）画質をＨＤ（High Definition）画質にする、又はＨＤ画質を約４０００×２０００画素の解像度である４Ｋ２Ｋ画質にする等の処理を行う。解像度処理回路５４は、映像処理を行った映像を、レート変換回路５５に出力する。
【００２８】
レート変換回路５５は、解像度処理回路５４で処理された映像が入力された場合、フレームレートを変換する処理を行う。具体的には、レート変換回路５５は、映像における、時間的に前後する複数枚の映像フレームに基づいて補間処理を行うことにより、フレームレートを２倍にする変換処理を行う。なお、レート変換回路５５は、フレームレートを２倍に限らず、４倍等にしてもよい。レート変換回路５５は、映像処理を行った映像を、合成部７に出力する。
【００２９】
なお、これら５つの映像処理部の順番は必ずしも上述の順番に限らず、前後していてもよい。映像処理装置１００は、５つの映像処理部以外の映像処理部を備えていてもよいが、映像処理部を複数備えていればよく、上述の５つの映像処理部の全てを備えていなくてもよい。
【００３０】
ＣＰＵ１は、記憶部２に予め格納されている各プログラムを適宜ＲＡＭ３に読み出して実行することにより、ハードウェア各部を制御する。
【００３１】
記憶部２は、例えばＥＥＰＲＯＭ（Electrically Erasable Programmable Read-Only Memory）又はフラッシュメモリ等の記憶媒体である。記憶部２は、ＣＰＵ１を介して復号部４３から入力された表示用データを記憶する。また、記憶部２はアプリケーションプログラムを制御するＯＳ（Operation System）プログラムの他、ハードウェア各部の動作に必要な種々の制御プログラムを記憶している。さらに、記憶部２は、ＯＳＤ画面を作成するために必要な種々のアプリケーションプログラム、該アプリケーションプログラムに対応したインタフェースであるＡＰＩ（Application Programming Interface）、及び種々のＯＳＤ画面のテンプレート等を記憶している。
【００３２】
記憶部２が記憶しているアプリケーションプログラムには、後述するホーム画面を作成するホーム画面作成アプリ、電子番組表を作成する電子番組表作成アプリ、録画リストを作成する録画リスト作成アプリ、字幕表示画面を作成する字幕表示画面作成アプリ及びデータ放送画面を作成するデータ放送画面作成アプリ等がある。記憶部２が記憶しているＡＰＩには、ホーム画面作成アプリに対応したホーム画面ＡＰＩ、電子番組表作成アプリとデータ放送画面作成アプリとに対応した電子番組表ＡＰＩ、録画リスト作成アプリに対応した録画リストＡＰＩ、字幕表示画面作成アプリに対応した字幕表示画面ＡＰＩ及びデータ放送画面作成アプリに対応した静止画ＡＰＩ等がある。
【００３３】
ＲＡＭ３は、例えばＳＲＡＭ（Static RAM）又はフラッシュメモリ等で構成されており、ＣＰＵ１が各プログラムを実行する際に発生するデータを一時的に記憶する。
【００３４】
ＯＳＤ作成部１１は、記憶部２から読み出したアプリケーションプログラム、ＡＰＩ、テンプレート及び表示用データ等を用いて、動画又は静止画で構成されるＯＳＤ画面を作成する。
【００３５】
ＯＳＤ作成部１１は、ホーム画面を作成する場合には、ホーム画面ＡＰＩを用い、ホーム画面作成アプリを実行する。ＯＳＤ作成部１１は、電子番組表を作成する場合には、電子番組表ＡＰＩを用い、電子番組表作成アプリを実行する。ＯＳＤ作成部１１は、録画リストを作成する場合には、録画リストＡＰＩを用い、録画リスト作成アプリを実行する。ＯＳＤ作成部１１は、字幕表示画面を作成する場合には、字幕表示画面ＡＰＩを用い、字幕表示画面作成アプリを実行する。ＯＳＤ作成部１１は、データ放送画面を作成する場合には、静止画ＡＰＩ及び電子番組表ＡＰＩを用い、データ放送画面作成アプリを実行する。
【００３６】
選択部１２は、ＯＳＤ画面の出力先を選択し、出力先の情報を示す選択信号を分配部６に出力する。
【００３７】
録画保存部４は、例えばＨＤＤ（Hard Disc Drive）であり、録画したテレビ番組が保存される。なお、録画保存部４は、映像処理装置１００の外部に設けられ、ＵＳＢ（Universal Serial Bus）等により映像処理装置１００と接続するようにしてもよい。
【００３８】
受信部５は、フォトディテクタであり、リモコン２００から赤外線の指示信号を受信し、電気信号に変換してＣＰＵ１に出力する。
【００３９】
分配部６は、デマルチプレクサであり、選択部１２から入力された選択信号に従って分配した出力先にＯＳＤ画面を出力する。
【００４０】
合成部７は、分配部６から入力されたＯＳＤ画面と、レート変換回路５５から入力された映像とを合成する。合成部７は、合成したＯＳＤ画面と映像とを表示部８に出力する。
【００４１】
表示部８は、液晶ディスプレイパネル、プラズマディスプレイパネル又は有機ＥＬ（electro luminescence）等の表示パネルである。表示部８は、合成部７から入力されたＯＳＤ画面と映像とを表示する。
【００４２】
リモコン２００は、例えば赤外線通信装置であり、ユーザがボタンを押下することにより、特定のＯＳＤ画面を表示するよう指示する指示信号の他、種々の指示信号を送信する。
【００４３】
図２はホーム画面６０を示す模式図である。ＯＳＤ画面の一例であるホーム画面６０の表示を指示する指示信号が入力された場合の、映像処理装置１００の動作について説明する。
【００４４】
ホーム画面６０は、映像処理装置１００に対する各種の指示の一覧を示す画面である。ホーム画面６０には、番組表を表示するよう指示する番組表アイコン６０ａ、テレビの視聴又は外部入力等の入力の切換を指示する入力切換アイコン６０ｂ、おすすめのテレビ番組の情報を示すおすすめ番組アイコン６０ｃが示されている。また、ホーム画面６０には、多く視聴された番組の視聴数のランキングを示す視聴数ランキングアイコン６０ｄ、及び多く視聴されたビデオオンデマンドの番組を示すビデオオンデマンドアイコン６０ｅ等のアイコンが示されている。その他、ホーム画面６０には、時刻を表示する時刻部６０ｆ、広告を表示する広告部６０ｇ、内部に合成された映像を表示するための枠６０ｈ等が表示されている。ホーム画面６０には、写真又は絵の画像の他、動画が多く用いられている。
【００４５】
ＯＳＤ画面と映像とを合成した場合の両者の位置関係は、記憶部２に記憶されているテンプレートの形状から、ＯＳＤ作成部１１に入力された指示信号に基づいて決定される。ホーム画面６０の例では、ＯＳＤ画面の一部に映像が表示されるようになっているが、例えばＯＳＤ画面を前景とし映像を背景とするように合成してもよいし、映像の一部にＯＳＤ画面を重ねるように合成してもよい。
【００４６】
リモコン２００から受信部５を介して、これらのアイコンのいずれかを選択し決定する指示信号が入力されることにより、ＣＰＵ１は、選択された内容に基づく動作を行う。
【００４７】
受信部５は、ホーム画面６０の表示を指示する指示信号が入力された場合、斯かる指示信号をＣＰＵ１のＯＳＤ作成部１１に出力する。
【００４８】
ホーム画面６０の表示を指示する指示信号が入力された場合、ＯＳＤ作成部１１は、映像を枠６０ｈの大きさ及び位置に合わせるよう指定する信号を、映像設定部４４に出力する。映像設定部４４は、復号部４３から入力された映像を、枠６０ｈに合わせた大きさ及び位置に設定し、動画系処理回路５１に出力する。
【００４９】
ＯＳＤ作成部１１は、入力された指示信号に従って、記憶部２からホーム画面作成アプリ及びホーム画面ＡＰＩを読み出す。また、ＯＳＤ作成部１１は、記憶部２からホーム画面６０のテンプレートと、表示用データである番組情報データと広告データとを読み出して、ホーム画面６０を作成する。
【００５０】
選択部１２は、記憶部２に記憶してある対応テーブル２１を読み出す。選択部１２は、対応テーブル２１を参照し、使用しているホーム画面ＡＰＩに対応する選択信号ａを分配部６に出力する。即ち、選択部１２は、ホーム画面６０の出力先を動画系処理回路５１に選択する処理を行う。また、ＯＳＤ作成部１１は、作成したホーム画面６０を分配部６に出力する。
【００５１】
図３は対応テーブル２１を示す図表である。対応テーブル２１は、ＯＳＤ作成部１１が使用するＡＰＩと、選択部１２が分配部６に出力する選択信号との対応関係を示している。本実施の形態では、ホーム画面ＡＰＩは選択信号ａと対応し、以下、静止画ＡＰＩは選択信号ｂと、字幕表示画面ＡＰＩは選択信号ｃと、録画リストＡＰＩは選択信号ｄと、電子番組表ＡＰＩは選択信号ｅと夫々対応している。選択部１２は、使用しているＡＰＩと対応テーブル２１とに基づいて、出力する選択信号を選択信号ａ〜ｅから選択し、出力する。
【００５２】
図４は、分配部６の出力先を示す説明図である。図４における矢印ａ〜ｅは、選択信号ａ〜ｅが入力された分配部６の出力先に対応している。分配部６は、選択部１２から入力された選択信号に従い、所定の出力先にＯＳＤ画面を分配して出力する。出力先は、動画系処理回路５１、静止画系処理回路５２、解像度処理回路５４、レート変換回路５５及び合成部７のいずれかである。
【００５３】
ここで、上述の通り、本実施の形態では、映像処理装置１００は、入力された映像が、動画系処理回路５１、静止画系処理回路５２、パターン検出処理回路５３、解像度処理回路５４、レート変換回路５５の順番に映像処理されるよう構成されている。分配部６によって出力されたＯＳＤ画面は、出力先の映像処理部で合成された後、斯かる順番に従い、出力先以降の全ての映像処理部において映像処理が行われる。
【００５４】
選択信号ａが入力された分配部６は、ＯＳＤ画面を動画系処理回路５１に出力する。この場合、動画系処理回路５１に入力されたＯＳＤ画面は、動画系処理回路５１で映像と合成された上で映像処理が行われる。合成されたＯＳＤ画面及び映像は、静止画系処理回路５２、パターン検出処理回路５３、解像度処理回路５４、レート変換回路５５の順番に映像処理される。
【００５５】
また、選択信号ｂが入力された分配部６は、ＯＳＤ画面を静止画系処理回路５２に出力する。この場合、静止画系処理回路５２に入力されたＯＳＤ画面は、静止画系処理回路５２で映像と合成された上で映像処理が行われる。合成されたＯＳＤ画面及び映像は、パターン検出処理回路５３、解像度処理回路５４、レート変換回路５５の順番に映像処理される。
【００５６】
選択信号ｃが入力された分配部６は、ＯＳＤ画面を解像度処理回路５４に出力する。この場合、解像度処理回路５４に入力されたＯＳＤ画面は、解像度処理回路５４で映像と合成された上で映像処理が行われる。合成されたＯＳＤ画面及び映像は、レート変換回路５５で映像処理される。
【００５７】
選択信号ｄが入力された分配部６は、ＯＳＤ画面をレート変換回路５５に出力する。レート変換回路５５に入力されたＯＳＤ画面は、映像と合成された上で映像処理が行われる。合成されたＯＳＤ画面及び映像は、合成部７に出力される。
【００５８】
選択信号ｅが入力された分配部６は、ＯＳＤ画面を合成部７に出力する。合成部７に入力されたＯＳＤ画面は、映像と合成された上で表示部８に出力される。
【００５９】
なお、選択部１２は、他の手段により選択信号を出力してもよい、例えば、選択部１２は、ＯＳプログラムを参照することにより、実行しているアプリケーションプログラムを判別し、判別したアプリケーションプログラムに基づいて、選択信号を出力するようにしてもよい。この場合、記憶部２は、アプリケーションプログラムと選択信号との対応関係を示す対応テーブルを記憶している。
【００６０】
選択信号ａが入力された分配部６は、ホーム画面６０を動画系処理回路５１に出力する。動画系処理回路５１は、ホーム画面６０と映像設定部４４から入力された映像とを合成する。以後、合成されたホーム画面６０及び映像に対し、動画系処理回路５１、静止画系処理回路５２、パターン検出処理回路５３、解像度処理回路５４、レート変換回路５５が夫々映像処理を行う。レート変換回路５５は、映像処理を行ったホーム画面６０及び映像を、合成部７を介して表示部８に出力する。
【００６１】
図５は電子番組表６１を示す模式図である。ＯＳＤ画面の他の例である電子番組表６１の表示を指示する指示信号が入力された場合の、映像処理装置１００の動作について説明する。電子番組表６１は、主に文字によって構成されており、各テレビ局が放送するテレビ番組の題名、内容及び出演者等の情報を時間毎に示している。
【００６２】
ＯＳＤ作成部１１は、電子番組表６１の表示を指示する指示信号が入力された場合、電子番組表作成アプリ、電子番組表ＡＰＩ、テンプレート及び番組情報データを記憶部２から読み出して、電子番組表６１を作成する。
【００６３】
また、選択部１２は、記憶部２から対応テーブル２１を読み出す。選択部１２は、該対応テーブル２１を参照し、使用している電子番組表ＡＰＩに対応する選択信号ｅを、分配部６に出力する。さらに、ＯＳＤ作成部１１は、作成した電子番組表６１を分配部６に出力する。
【００６４】
選択信号ｅが入力された分配部６は、電子番組表６１を合成部７に出力する。合成部７は電子番組表６１とレート変換部５５から入力された映像とを合成し、表示部８に出力する。表示部８は入力された電子番組表６１と映像とを表示する。
【００６５】
電子番組表６１は、例えばドットバイドットで作成されており、文字が主体の静止画である。従って、電子番組表６１は、映像処理を行わない方が鮮明に文字を表示することができる。従ってＯＳＤ作成部１１は、電子番組表６１に対しては、映像処理が行われることなく、合成部７に出力することが好ましい。
【００６６】
図６は、録画リスト６２を示す模式図である。ＯＳＤ画面の他の例である録画リスト６２の表示を指示する指示信号が入力された場合の、映像処理装置１００の動作について説明する。録画リスト６２は、録画保存部４に保存されている番組の番組名と放送日時との一覧を示す画面である。リモコン２００から受信部５を介して、これらの番組名のいずれかを選択し決定する指示信号が入力されることにより、ＣＰＵ１は、番組を再生する。
【００６７】
ここで、録画された番組名が長いため、録画リスト６２に番組名の全部を表示することができない場合がある。このような場合、録画リスト６２には、通常は最初から一定の文字数等、番組名の一部のみが表示される。ただし、ＣＰＵ１は、リモコン２００から指定する指示信号を入力された番組については、番組名をスクロールさせて番組名の全部を表示させる。
【００６８】
例えば図６Ａでは、録画リスト６２における表示箇所６２ａには、番組名「ＡＢＣＤＥＦＧＨＩＪ」の一部のみが表示されている。このような場合、録画リスト６２は、図６Ｂに示すように表示箇所６２ａの番組名「ＡＢＣＤＥＦＧＨＩＪ」をスクロールさせることにより、番組名の全部を表示する。
【００６９】
ＯＳＤ作成部１１は、録画リスト６２の表示を指示する指示信号が入力された場合、録画リスト作成アプリ、録画リストＡＰＩ、テンプレート及び番組情報データを記憶部２から読み出して、録画リスト６２を作成する。
【００７０】
また、選択部１２は、記憶部２から対応テーブル２１を読み出す。選択部１２は、該対応テーブル２１を参照して、使用している録画リストＡＰＩに対応する選択信号ｄを分配部６に出力する。ＯＳＤ作成部１１は、作成した録画リスト６２を分配部６に出力する。選択信号ｄが入力された分配部６は、録画リスト６２をレート変換回路５５に出力する。レート変換回路５５は、録画リスト６２と解像度処理回路５４から入力された映像とを合成し、合成部７を介して表示部８に出力する。
【００７１】
録画リスト６２は文字を主体にしている点では電子番組表６１と同じであるが、番組名がスクロールする点で異なる。録画リスト６２は、滑らかにスクロールするよう表示されることが好ましい。従って、録画リスト６２に対しては、レート変換回路５５において、スクロールを滑らかにする映像処理を行うことが好ましい。
【００７２】
図７は、字幕表示画面６３ａを示す模式図である。ＯＳＤ画面の他の例である字幕表示画面６３ａの表示を指示する指示信号が入力された場合の、映像処理装置１００の動作について説明する。字幕表示画面６３ａは映像を表示する映像表示画面６３に合わせて字幕を表示するものであり、例えばＨＤ画質では９６０×５４０画素、ＳＤ画質では７２０×４８０画素であると、規格により定められている。
【００７３】
ＯＳＤ作成部１１は、字幕表示画面６３ａの表示を指示する指示信号が入力された場合、字幕表示画面作成アプリ、字幕表示画面ＡＰＩ、テンプレート及び字幕情報データを記憶部２から読み出して、字幕表示画面６３ａを作成する。
【００７４】
また、選択部１２は、記憶部２から対応テーブル２１を読み出す。選択部１２は、該対応テーブル２１を参照して、使用している字幕表示画面ＡＰＩに対応する選択信号ｃを分配部６に出力する。ＯＳＤ作成部１１は、作成した字幕表示画面６３ａを分配部６に出力する。選択信号ｃが入力された分配部６は、字幕表示画面６３ａを解像度処理回路５４に出力する。解像度処理回路５４は、字幕表示画面６３ａとパターン検出処理回路５３から入力された映像とを合成する。解像度処理回路５４及びレート変換回路５５は、合成された字幕表示画面６３ａ及び映像に対し、映像処理を行う。
【００７５】
レート変換回路５５は、合成された字幕表示画面６３ａ及び映像を合成部７を介して表示部８に出力する。
【００７６】
字幕表示画面６３ａは上述の通り画素数が定められている。従って映像に対して解像度処理が行われる場合には、字幕も同様に解像度処理を行わなければ、映像と比べて相対的に字幕が小さくなってしまう。従って字幕にも解像度処理を行うべく、字幕表示画面６３ａに対しては、解像度処理回路５４が映像処理を行うことが好ましい。
【００７７】
図８は、データ放送画面６４を示す模式図である。ＯＳＤ画面の一例であるデータ放送画面６４の表示を指示する指示信号が入力された場合の映像処理装置１００の動作について説明する。データ放送画面６４は、ＪＰＥＧ、ＴＩＦＦ又はＢＭＧ等の画像ファイルに基づく静止画の絵又は写真等を主体とする静止画プレーン６４ａと、文字又は図形が主体となる文字図形プレーン６４ｂとの２つに分かれて構成されている。静止画プレーン６４ａには、番組情報又は広告等を示す静止画が表示され、文字図形プレーン６４ｂには、ニュース、広告又は番組情報等が表示される。また、データ放送画面６４には、内部に合成された映像を表示するための枠６４ｃ等が表示されている。
【００７８】
データ放送画面６４の表示を指示する指示信号が入力された場合、ＯＳＤ作成部１１は、映像を枠６４ｃの大きさ及び位置に合わせるよう指定する信号を、映像設定部４４に出力する。映像設定部４４は、復号部４３から入力された映像を、枠６４ｃに合わせた大きさ及び位置に設定し、動画系処理回路５１に出力する。
【００７９】
ＯＳＤ作成部１１は、データ放送画面作成アプリ、静止画プレーン６４ａの作成時に用いる静止画ＡＰＩ、文字図形プレーン６４ｂの作成時に用いる電子番組表ＡＰＩ、番組情報データ、広告データ及び文字情報データを記憶部２から読み出す。
【００８０】
選択部１２は、記憶部２から対応テーブル２１を読み出す。選択部１２は、該対応テーブル２１を参照して、静止画プレーン６４ａの作成時に使用している静止画ＡＰＩに対応する選択信号ｂを分配部６に出力する。ＯＳＤ作成部１１は、作成した静止画プレーン６４ａを分配部６に出力する。選択信号ｂが入力された分配部６は、静止画プレーン６４ａを静止画系処理回路５２に出力する。
【００８１】
一方、選択部１２は、対応テーブル２１を参照して、文字図形プレーン６４ｂの作成時に使用している電子番組表ＡＰＩに対応する選択信号ｅを分配部６に出力する。ＯＳＤ作成部１１は、作成した文字図形プレーン６４ｂを分配部６に出力する。選択信号ｅが入力された分配部６は、文字図形プレーン６４ｂを合成部７に出力する。
【００８２】
静止画系処理回路５２は、静止画プレーン６４ａと動画系処理回路５１から入力された映像とを合成する。合成された静止画プレーン６４ａと映像とは、静止画系処理回路５２、パターン検出処理回路５３、解像度処理回路５４、レート変換回路５５の順に映像処理が行われ、合成部７に出力される。合成部７は、合成された静止画プレーン６４ａ及び映像に、さらに文字図形プレーン６４ｂを合成して、表示部８に出力する。
【００８３】
静止画プレーン６４ａは写真又は絵等からなる静止画が主体となっている。従って、静止画プレーン６４ａに対しては、静止画に対する映像処理と同様の映像処理を行うことが好ましい。一方、文字図形プレーン６４ｂは文字及び図形等からなる静止画が主体となっている。従って、文字図形プレーン６４ｂに対しては、上述した電子番組表６１の場合と同様に、映像処理を行わない方が好ましい。
【００８４】
図９及び図１０はＣＰＵ１の動作処理について示すフローチャートである。ＣＰＵ１の動作処理について説明する。ＣＰＵ１は、受信部５を介して、リモコン２００からＯＳＤ画面の表示を指示する指示信号が入力されたか否かを判定する（Ｓ１）。入力されていない場合は（Ｓ１でＮＯ）、ＣＰＵ１のＯＳＤ作成部１１は、待機を続ける（Ｓ１に戻す）。入力された場合は（Ｓ１でＹＥＳ）、ＯＳＤ作成部１１は、指示信号に応じたＯＳＤ画面の作成に必要なアプリケーションプログラム、ＡＰＩ、テンプレート及び表示用データ等のプログラム及びデータを記憶部２から読み出す（Ｓ２）。ＯＳＤ作成部１１は、読み出したプログラム及びデータに基づいて、ＯＳＤ画面を作成する（Ｓ３）。
【００８５】
続いて、ＣＰＵ１の選択部１２は、記憶部２から対応テーブル２１を読み出す（Ｓ４）。選択部１２は、使用しているＡＰＩと対応テーブル２１とを参照し、選択信号を決定することにより、分配部６の出力先を選択する（Ｓ５）。ＯＳＤ作成部１１は、決定した選択信号が選択信号ａであるか否かを判定する（Ｓ６）。
【００８６】
決定した選択信号が選択信号ａである場合（Ｓ６でＹＥＳ）、ＯＳＤ作成部１１は、分配部６を介して、ＯＳＤ画面を動画系処理回路５１に出力し、映像設定部４４から入力された映像と合成させる（Ｓ７）。また、ＣＰＵ１は、動画系処理回路５１に、ＯＳＤ画面及び映像についての映像処理を行わせる（Ｓ８）。選択信号ａでない場合（Ｓ６でＮＯ）、ＯＳＤ作成部１１は、決定した選択信号が選択信号ｂであるか否かを判定する（Ｓ９）。
【００８７】
決定した選択信号が選択信号ｂである場合（Ｓ９でＹＥＳ）、ＯＳＤ作成部１１は、分配部６を介して、ＯＳＤ画面を静止画系処理回路５２に出力し、動画系処理回路５１から入力された映像と合成させる（Ｓ１０）。また、ＣＰＵ１は、静止画系処理回路５２に、ＯＳＤ画面及び動画系処理回路５１から入力された映像についての映像処理を行わせる（Ｓ１１）。ＣＰＵ１は、静止画系処理回路５２で映像処理されたＯＳＤ画面及び映像を、パターン検出処理回路５３に出力する。ＣＰＵ１は、パターン検出処理回路５３に、ＯＳＤ画面及び静止画系処理回路５２から入力された映像について映像処理を行わせる（Ｓ１２）。ＣＰＵ１は、映像処理されたＯＳＤ画面及び映像を解像度処理回路５４に出力する。
【００８８】
また、選択信号ｂでない場合（Ｓ９でＮＯ）、ＯＳＤ作成部１１は、決定した選択信号が選択信号ｃであるか否かを判定する（Ｓ１３）。
【００８９】
決定した選択信号が選択信号ｃである場合（Ｓ１３でＹＥＳ）、ＯＳＤ作成部１１は、分配部６を介して、ＯＳＤ画面を解像度処理回路５４に出力し、パターン検出処理回路５３から入力された映像と合成させる（Ｓ１４）。また、ＣＰＵ１は、解像度処理回路５４に、ＯＳＤ画面及びパターン検出処理回路５３から入力された映像についての映像処理を行わせる（Ｓ１５）。ＣＰＵ１は、パターン検出処理回路５３で映像処理されたＯＳＤ画面及び映像を、解像度処理回路５４に出力する。選択信号ｃでない場合（Ｓ１３でＮＯ）、ＯＳＤ作成部１１は、決定した選択信号が選択信号ｄであるか否かを判定する（Ｓ１６）。
【００９０】
決定した選択信号が選択信号ｄである場合（Ｓ１６でＹＥＳ）、ＯＳＤ作成部１１は、分配部６を介して、ＯＳＤ画面をレート変換回路５５に出力し、解像度処理回路５４から入力された映像と合成させる（Ｓ１７）。また、ＣＰＵ１は、レート変換回路５５に、ＯＳＤ画面及び解像度処理回路５４から入力された映像についての映像処理を行わせる（Ｓ１８）。選択信号ｄでない場合（Ｓ１６でＮＯ）、決定した選択信号は選択信号ｅであるので、ＯＳＤ作成部１１は、分配部６を介して、ＯＳＤ画面を合成部７に出力し、レート変換回路５５から入力された映像と、分配部６から入力されたＯＳＤ画面とを合成させる（Ｓ１９）。またＣＰＵ１は、レート変換回路５５又は合成部７から入力されたＯＳＤ画面と映像とを表示部８に出力して（Ｓ２０）、処理を終了する。
【００９１】
本実施の形態によれば、映像に対して映像処理を行う複数の映像処理部から、ＯＳＤ作成部が実行しているアプリケーションプログラムに基づいて映像処理部を選択し、選択した映像処理部のいずれかに、作成したＯＳＤ画面を出力する。従って、作成したＯＳＤ画面の種類に応じて異なる映像処理を行うことができる。
【００９２】
第２の実施の形態
第２の実施の形態について説明する。本実施の形態は、ＯＳＤ画面に解像度処理後を想定した字幕表示画面及びスクロールする字幕表示画面を含む場合に関する。
【００９３】
記憶部２には、上述したアプリケーションプログラムの他、高解像度字幕画面作成アプリ、スクロール字幕画面作成アプリが記憶されている。
【００９４】
高解像度字幕画面作成アプリは、解像度処理後を想定した大きさであり、且つ静止した字幕である高解像度字幕を表示する字幕表示画面６３ａを作成するためのアプリケーションプログラムである。即ち、高解像度字幕画面作成アプリは、解像度処理回路５４がＳＤ画質をＨＤ画質にする場合には、予めＨＤの画素数を想定した大きさである高解像度字幕を作成し、ＨＤ画質を４Ｋ２Ｋ画質にする場合には、予め４Ｋ２Ｋの画素数を想定した大きさである高解像度字幕を作成するためのアプリケーションプログラムである。ここで、字幕表示画面６３ａと、解像度処理された映像を表示する映像表示画面６３との位置関係は図７と同様である。
【００９５】
図１１は、スクロール字幕画面６３ｂを示す模式図である。スクロール字幕画面作成アプリは、解像度処理後を想定した大きさの字幕であり、且つスクロールする字幕を表示するスクロール字幕画面６３ｂを作成するためのアプリケーションプログラムである。スクロール字幕画面６３ｂは、例えば「ＡＢＣＤＥＦＧＨＩＪＫ」という字幕のうち、図１１Ａに示すように一部しか表示されない場合に、図１１Ｂに示すように字幕をスクロールして、全部を表示する。
【００９６】
また、記憶部２には、高解像度字幕画面作成アプリに対応した高解像度字幕画面ＡＰＩ及びスクロール字幕画面作成アプリに対応したスクロール字幕画面ＡＰＩが記憶されている。
【００９７】
ＯＳＤ作成部１１は、高解像度字幕を表示する字幕表示画面６３ａを作成する場合には、高解像度字幕画面ＡＰＩを用い、高解像度字幕画面作成アプリを実行する。また、ＯＳＤ作成部１１は、スクロール字幕画面６３ｂを作成する場合には、スクロール字幕画面ＡＰＩを用い、スクロール字幕画面作成アプリを実行する。
【００９８】
高解像度字幕を用いた字幕表示画面６３ａを作成する場合の映像処理装置１００の動作について説明する。ＯＳＤ作成部１１は、高解像度字幕を用いた字幕表示画面６３ａの表示を指示する指示信号が入力された場合、高解像度字幕画面作成アプリ、高解像度字幕画面ＡＰＩ、テンプレート及び字幕情報データを記憶部２から読み出して、高解像度字幕を用いた字幕表示画面６３ａを作成する。
【００９９】
図１２は、対応テーブル２１を示す図表である。選択部１２は、記憶部２から対応テーブル２１を読み出す。選択部１２は、該対応テーブル２１を参照して、使用している高解像度字幕画面ＡＰＩに対応する選択信号ｅを分配部６に出力する。ＯＳＤ作成部１１は、作成した字幕表示画面６３ａを分配部６に出力する。選択信号ｅが入力された分配部６は、字幕表示画面６３ａを合成部７に出力する。合成部７は、字幕表示画面６３ａとレート変換部５５から入力された映像とを合成し、表示部８に出力する。表示部８は入力された字幕表示画面６３ａと映像とを表示する。
【０１００】
続いて、スクロール字幕画面６３ｂを作成する場合の映像処理装置１００の動作について説明する。ＯＳＤ作成部１１は、スクロール字幕画面６３ｂの表示を指示する指示信号が入力された場合、スクロール字幕画面作成アプリ、スクロール字幕画面ＡＰＩ、テンプレート及び字幕情報データを記憶部２から読み出して、スクロール字幕画面６３ｂを作成する。
【０１０１】
選択部１２は、記憶部２から対応テーブル２１を読み出す。選択部１２は、該対応テーブル２１を参照して、使用しているスクロール字幕画面ＡＰＩに対応する選択信号ｄを分配部６に出力する。ＯＳＤ作成部１１は、作成したスクロール字幕画面６３ｂを分配部６に出力する。選択信号ｄが入力された分配部６は、スクロール字幕画面６３ｂをレート変換部５５に出力する。レート変換部５５は、スクロール字幕画面６３ｂと解像度処理回路５４から入力された映像とを合成し、合成部７を介して、表示部８に出力する。表示部８は、入力された字幕表示画面６３ｂと映像とを表示する。
【０１０２】
字幕表示画面６３ａは、文字が主体の静止画である。従って、高解像度字幕を用いた字幕表示画面６３ａに対しては、電子番組表６１の場合と同様に、映像処理を行わない方が、鮮明に文字が表示される点で好ましい。一方、スクロール字幕画面６３ｂは、文字を主体にしているが、文字がスクロールする。従って、スクロール字幕画面６３ｂに対しては、録画リスト６２と同様に、滑らかにスクロールするようレート変換部５５が映像処理を行うことが好ましい。
【０１０３】
本実施の形態によれば、字幕を表示する場合に、ＯＳＤ画面の種類に応じて異なる映像処理が行われる。これにより、表示部８に高解像度字幕を用いた字幕表示画面６３ａが表示される場合には字幕が鮮明に表示され、表示部８にスクロール字幕画面６３ｂが表示される場合には、字幕が滑らかに表示されるといった、適切な映像処理が行われる。
【０１０４】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。また、各実施の形態に記載されている技術的特徴は、相互に組合せ可能であり、組み合わせることにより、新しい技術的特徴を形成することができる。
【符号の説明】
【０１０５】
１００  映像処理装置
１  ＣＰＵ
１１  ＯＳＤ作成部
１２  選択部
２  記憶部
２１  対応テーブル
３  ＲＡＭ
４  録画保存部
５  受信部
６  分配部
７  合成部
８  表示部
４１  チューナ
４２  復調部
４３  復号部
４４  映像設定部
５１  動画系処理回路（映像処理部）
５２  静止画系処理回路（映像処理部）
５３  パターン検出処理回路（映像処理部）
５４  解像度処理回路（映像処理部）
５５  レート変換回路（映像処理部）
６０  ホーム画面
６０ａ  番組表アイコン
６０ｂ  入力切換アイコン
６０ｃ  おすすめ番組アイコン
６０ｄ  視聴数ランキングアイコン
６０ｅ  ビデオオンデマンドアイコン
６０ｆ  時刻部
６０ｇ  広告部
６０ｈ  枠
６１  電子番組表
６２  録画リスト
６２ａ  表示箇所
６３  映像表示画面
６３ａ  字幕表示画面
６３ｂ  スクロール字幕画面
６４  データ放送画面
６４ａ  静止画プレーン
６４ｂ  文字図形プレーン
６４ｃ  枠
２００  リモコン
【図１】
2014175793.tif 000003
【図２】
2014175793.tif 000004
【図３】
2014175793.tif 000005
【図４】
2014175793.tif 000006
【図５】
2014175793.tif 000007
【図６】
2014175793.tif 000008
【図７】
2014175793.tif 000009
【図８】
2014175793.tif 000010
【図９】
2014175793.tif 000011
【図１０】
2014175793.tif 000012
【図１１】
2014175793.tif 000013
【図１２】
2014175793.tif 000014